(57)【要約】【課題】診断装置から送信される画像データについて、縦横比を１：１に変換する際に必要な複数回の画像処理による画像劣化を最小限に抑えることである。【解決手段】受信した医用画像情報を埋め込むテンプレートを予め記憶し、そのテンプレートを医用画像情報の縦横比に合わせて変換し、変換したテンプレートに当該医用画像を埋め込んでテンプレートデータを作成し画像形成装置に転送する。画像形成装置は、受信したテンプレートデータについて縦横比が１：１になるように変換する。【選択図】図１３
2006346162.tif 000002
【特許請求の範囲】
【請求項１】
受信した医用画像情報と患者文字情報を含む医用画像データを所定のデータ形式に変換して転送する医用画像変換装置と、前記転送された所定のデータ形式の医用画像データを記録媒体上に画像形成する医用画像形成装置とを具備する医用画像出力システムにおいて、
前記医用画像変換装置は、
前記医用画像データを受信する受信手段と、
前記受信手段により受信された医用画像データのうち前記医用画像情報を埋め込むテンプレートを記憶する記憶手段と、
前記記憶手段に記憶された前記テンプレートを当該医用画像情報の縦横比に合わせて変換する変換手段と、
前記変換手段により変換された当該テンプレートに当該医用画像情報を埋め込み、テンプレートデータを生成するテンプレートデータ生成手段と、
前記テンプレートデータ生成手段により生成された当該テンプレートデータを前記医用画像形成装置へ転送する転送手段と、を備え、
前記医用画像形成装置は、
前記転送手段により転送された当該テンプレートデータを前記記憶手段に記憶された基のテンプレートの縦横比に変換するテンプレートデータ変換手段と、
前記テンプレートデータ変換手段により変換されたテンプレートデータを前記記録媒体上に画像形成する画像形成手段とを備えることを特徴とする医用画像出力システム。
【請求項２】
前記医用画像変換装置は、
前記医用画像情報及び患者文字情報を含む医用画像データの記録媒体上への配置方法表すフォーマット情報を指定する指定手段を更に備え、
前記記憶手段は、前記指定手段により指定されたフォーマット情報に従って作成されたテンプレートを記憶することを特徴とする請求項１に記載の医用画像出力システム。
【請求項３】
前記受信手段により、縦横比が１：１でない医用画像データが受信されると、前記変換手段は、当該医用画像情報の縦横比と同一の縦横比に、前記テンプレートを変換することを特徴とする請求項１又は２に記載の医用画像出力システム。
【請求項４】
前記テンプレートデータ変換手段は、前記テンプレートデータ生成手段により生成された当該テンプレートデータの縦横比を、前記テンプレートと同一の縦横比に変換することを特徴とする請求項１から３の何れか一項に記載の医用画像出力システム。
【請求項５】
前記記憶手段に記憶される前記テンプレートは、縦横比が１：１のテンプレートであることを特徴とする請求項１から４の何れか一項に記載の医用画像出力システム。
【請求項６】
前記変換手段は、前記テンプレートに当該患者文字情報を書き出した後、当該医用画像情報の縦横比と同一の縦横比に前記テンプレートデータを変換することを特徴とする請求項１から５の何れか一項に記載の医用画像出力システム。
【請求項７】
医用画像情報と患者文字情報を含む医用画像データを受信する受信手段と、
前記受信手段により受信された医用画像データのうち前記医用画像情報を埋め込むテンプレートを記憶する記憶手段と、
前記医用画像情報の縦横比を前記記憶手段に記憶された前記テンプレートの縦横比と同一の縦横比に変換する医用画像情報変換手段と、
前記医用画像情報変換手段により変換された医用画像情報を、前記テンプレートに埋め込んでテンプレートデータを生成するテンプレートデータ生成手段と、
前記テンプレートデータ生成手段により生成された当該テンプレートデータを転送する転送手段と、
を備えることを特徴とする医用画像変換装置。
【請求項８】
前記医用画像情報変換手段は、前記医用画像情報の縦横比を１：１に変換することを特徴とする請求項７に記載の医用画像変換装置。
【請求項９】
受信した医用画像情報と患者文字情報を含む医用画像データを所定のデータ形式に変換して転送させる医用画像変換プログラムと、前記転送された所定のデータ形式の医用画像データを記録媒体上に画像形成させる医用画像形成プログラムとを具備する医用画像出力プログラムにおいて、
前記医用画像変換プログラムは、コンピュータを、
前記医用画像データを受信させる受信手段、
前記受信手段により受信された医用画像データのうち前記医用画像情報を埋め込むテンプレートを記憶させる記憶手段、
前記記憶手段に記憶された前記テンプレートを当該医用画像情報の縦横比に合わせて変換させる変換手段、
前記変換手段により変換された当該テンプレートに当該医用画像情報を埋め込み、テンプレートデータを生成させるテンプレートデータ生成手段、
前記テンプレートデータ生成手段により生成された当該テンプレートデータを前記医用画像形成装置へ転送させる転送手段として機能させ、
前記医用画像形成プログラムは、コンピュータを
前記転送手段により転送された当該テンプレートデータを前記記憶手段に記憶された基のテンプレートの縦横比に変換させるテンプレートデータ変換手段、
前記テンプレートデータ変換手段により変換されたテンプレートデータを前記記憶媒体上に画像形成させる画像形成手段として機能させることを特徴とする医用画像出力プログラム。
【発明の詳細な説明】
【技術分野】
【０００１】
本発明は、医用画像データを変換する医用画像変換装置と、前記医用画像変換装置から転送される医用画像データを記録媒体上に画像形成する画像形成装置とを具備する医用画像出力システム及び医用画像出力プログラムに関する。
【背景技術】
【０００２】
従来から、ＣＴ（Computed Tomography）やＣＲ（Computed Radiography）、ＭＲＩ（Magnetic Resonance Imaging）、乳房撮影装置、超音波診断装置等といった医用画像生成装置（以下、モダリディと称す。）によって撮影、生成された医用画像を、フィルム出力装置（医用画像形成装置）等に転送する医用画像転送装置が知られている。
【０００３】
この医用画像転送装置は、モダリティにより生成された医用画像データを、例えば、ＤＩＣＯＭ（Digital Imaging and Communications in Medicine）規格のデータに変換した後に医用画像形成装置へ転送する。医用画像形成装置は、転送された医用画像データに基づいた医用画像をフィルムに画像形成して、その医用画像のハードコピーを作成する。
【０００４】
図１６（ａ）は、診断装置により生成された医用画像の一例である。図に示すように、医用画像８０は、例えば、被写体の断層画像である診断画像８２と、患者のＩＤ番号、氏名、性別及び年齢等の患者情報８１とにより構成される。
【０００５】
変換装置は、診断装置によって生成された医用画像データと、当該医用画像データから抽出した患者情報とにそれぞれデータ変換を行って出力装置へ転送する。このとき、変換装置は、横２コマ且つ縦２コマ（２×２）、横３コマ且つ縦４コマ（３×４）といった医用画像の配置方法を表すフォーマット情報をＤＩＣＯＭ規格に準拠した形式で出力装置へ出力する。
【０００６】
また、最近では、診断装置で生成された医用画像データ中の診断画像及び患者情報を出力装置に転送する際に、出力装置の設定情報に従って、診断画像の拡大縮小率を算出し、その拡大縮小率に応じて選択した文字タイプ、文字サイズによって患者情報を出力装置へ転送する技術が開示されている（特許文献１、参照。）。
【０００７】
特許文献１に記載の発明により生成された医用画像の一例が図１６（ｂ）である。出力装置は、フォーマット情報に従って医用画像を記録記録媒体上８３の画像描画領域８４に“２×２”のフォーマットで配列し、文字描画領域８５に患者情報を画像形成する。
【特許文献１】特開２００２−１９０９３７号公報
【発明の開示】
【発明が解決しようとする課題】
【０００８】
一方、診断装置から送信される診断画像は、アスペクト比が必ずしも１：１ではなく、診断装置よってアスペクト比が異なる為、診断画像毎に、拡大縮小の画像処理が必要になる。また、アスペクト比による画像処理を行うことにより、画像が劣化してしまい、誤診に繋がる可能性があるという問題があった。
【０００９】
本発明は、上述した課題に鑑みてなされたものであり、その目的とするところは、診断装置から送信されるアスペクト比の異なる画像データについて、アスペクト比を１：１に統一させて出力することである。また、画像データを拡大又は縮小するのではなく、テンプレートデータを画像データのアスペクト比に合わせて拡大又は縮小することにより、画像処理回数を減らし、画像処理による画像の劣化を最小限に抑えることを可能にすることである。
【課題を解決するための手段】
【００１０】
上記課題を解決するために、請求項１に記載の発明は、受信した医用画像情報と患者文字情報を含む医用画像データを所定のデータ形式に変換して転送する医用画像変換装置と、前記転送された所定のデータ形式の医用画像データを記録媒体上に画像形成する医用画像形成装置とを具備する医用画像出力システムにおいて、前記医用画像変換装置は、前記医用画像データを受信する受信手段と、前記受信手段により受信された医用画像データのうち前記医用画像情報を埋め込むテンプレートを記憶する記憶手段と、前記記憶手段に記憶された前記テンプレートを当該医用画像情報の寸法に合わせて変換する変換手段と、前記変換手段により変換された当該テンプレートに当該医用画像情報を埋め込み、テンプレートデータを生成するテンプレートデータ生成手段と、前記テンプレートデータ生成手段により生成された当該テンプレートデータを前記医用画像形成装置へ転送する転送手段とを備え、前記医用画像形成装置は、前記転送手段により転送された当該テンプレートデータを前記記憶手段に記憶された基のテンプレートの寸法に変換するテンプレートデータ変換手段と、前記テンプレートデータ変換手段により変換されたテンプレートデータを前記記録媒体上に画像形成する画像形成手段とを備えることを特徴としている。
【００１１】
請求項２に記載の発明は、請求項１に記載の医用画像出力システムにおいて、前記医用画像変換装置は、前記医用画像情報及び患者文字情報を含む医用画像データの記録媒体上への配置方法表すフォーマット情報を指定する指定手段を更に備え、前記記憶手段は、前記指定手段により指定されたフォーマット情報に従って作成されたテンプレートを記憶することを特徴としている。
【００１２】
請求項３に記載の発明は、請求項１又は２に記載の医用画像出力システムにおいて、前記受信手段により、縦横比が１：１でない医用画像データが受信されると、前記変換手段は、当該医用画像情報の縦横比と同一の縦横比に、前記記憶手段に記憶されるテンプレートを変換することを特徴としている。
【００１３】
請求項４に記載の発明は、請求項１から３の何れか一項に記載の医用画像出力システムにおいて、前記テンプレートデータ変換手段は、前記テンプレートデータ生成手段により生成された当該テンプレートデータの縦横比を、前記テンプレートと同一の縦横比に変換することを特徴としている。
【００１４】
請求項５に記載の発明は、請求項１から４の何れか一項に記載の医用画像出力システムにおいて、前記記憶手段に記憶される前記テンプレートは、縦横比が１：１のテンプレートであることを特徴としている。
【００１５】
請求項６に記載の発明は、請求項１から５の何れか一項に記載の医用画像出力システムにおいて、前記変換手段は、前記テンプレートに当該患者文字情報を書き出した後、当該医用画像情報の縦横比と同一の縦横比に前記テンプレートデータを変換することを特徴としている。
【００１６】
請求項７に記載の発明は、医用画像情報と患者文字情報を含む医用画像データを受信する受信手段と、前記受信手段により受信された医用画像データのうち前記医用画像情報を埋め込むテンプレートを記憶する記憶手段と、前記医用画像情報の縦横比を前記記憶手段に記憶された前記テンプレートの縦横比と同一の縦横比に変換する医用画像情報変換手段と、前記医用画像情報変換手段により変換された医用画像情報を、前記テンプレートに埋め込んでテンプレートデータを生成するテンプレートデータ生成手段と、前記テンプレートデータ生成手段により生成された当該テンプレートデータを転送する転送手段とを備えることを特徴としている。
【００１７】
請求項８に記載の発明は、請求項７に記載の医用画像変換装置において、前記医用画像情報変換手段は、前記医用画像情報の縦横比を１：１に変換することを特徴としている。
【００１８】
請求項９に記載の発明は、受信した医用画像情報と患者文字情報を含む医用画像データを所定のデータ形式に変換して転送させる医用画像変換プログラムと、前記転送された所定のデータ形式の医用画像データを記録媒体上に画像形成させる医用画像形成プログラムとを具備する医用画像出力プログラムにおいて、
前記医用画像変換プログラムは、コンピュータを、
前記医用画像データを受信させる受信手段、
前記受信手段により受信された医用画像データのうち前記医用画像情報を埋め込むテンプレートを記憶させる記憶手段、
前記記憶手段に記憶された前記テンプレートを当該医用画像情報の縦横比に合わせて変換させる変換手段、
前記変換手段により変換された当該テンプレートに当該医用画像情報を埋め込み、テンプレートデータを生成させるテンプレートデータ生成手段、
前記テンプレートデータ生成手段により生成された当該テンプレートデータを前記医用画像形成装置へ転送させる転送手段として機能させ、
前記医用画像形成プログラムは、コンピュータを
前記転送手段により転送された当該テンプレートデータを前記記憶手段に記憶された基のテンプレートの縦横比に変換させるテンプレートデータ変換手段、
前記テンプレートデータ変換手段により変換されたテンプレートデータを前記記憶媒体上に画像形成させる画像形成手段として機能させることを特徴としている。
【発明の効果】
【００１９】
本発明によれば、診断装置からアスペクト比が１：１でない医用画像が送信された場合でも、画像処理を施すことによりアスペクト比を１：１に変換し、予め作成されたテンプレートに患者情報と共に埋め込むことで、送信された医用画像のアスペクト比に関係なく、常に、アスペクト比が１：１の最適な医用画像を出力させることが可能となる。また、医用画像に画像処理を施すのではなく、医用画像のアスペクト比に合わせてテンプレートを作成し、そのテンプレートに画像を埋め込んだ後、拡大又は縮小することで、画像処理回数を減らすことができ、画像の劣化を最小限に抑えることが可能となる。従って、画像劣化により発生する可能性がある誤診を回避することができる。
【発明を実施するための最良の形態】
【００２０】
以下、図を参照して、本発明の実施形態について詳細に説明する。
【００２１】
〔第１実施形態〕
図１に、第１実施形態に係る医用画像出力システム５０のシステム構成の一例を示す。図に示すように、医用画像出力システム５０は、診断装置１ａから出力される医用画像をコントローラ２ａの指示に従って転送する変換装置３ａと、診断装置１ｂから出力される医用画像データをコントローラ２ｂの指示に従って転送する変換装置３ｂと、フィルム出力装置４ａ及び４ｂと、サーバ５とが通信ネットワークＮを介して接続されて構成されている。
【００２２】
ここで、通信ネットワークＮは、例えば、公衆回線、電話回線、ＩＳＤＮ回線、無線回線、専用線等のネットワークである。この通信ネットワークＮは、任意な時に接続が可能であればよく、常時接続されている必要はない。また、通信ネットワークＮは、情報管理の信頼性の観点から、特定のユーザのみアクセス可能なセキュリティを確保していることが望ましい。
【００２３】
診断装置１ａ、１ｂは、撮影した医用画像のデータ（アナログ又はデジタルのビデオ信号であり、このデータを以下、医用画像データと称す。）を生成する医用画像生成装置である。診断装置１ａ、１ｂとしては、Ｘ線を照射して撮影を行うと共に、当該撮影により輝尽性蛍光体プレートに記憶されたＸ線画像を読取、デジタルデータとして生成するＣＲやＣＴ、また、Ｘ線に限らずＭＲＩや超音波診断装置等が適用可能である。
【００２４】
診断装置１ａ、１ｂは、制御部、撮影部、表示部、入力部、通信インターフェイス部等を備えて構成される。制御部は、撮影部が撮影した被写体画像に、入力部から入力された患者ＩＤや氏名、性別、年齢等の患者情報を合成して医用画像データを生成し、通信インターフェイス部を介してコントローラ２ａ、２ｂ及び変換装置３ａ、３ｂへ送信する。
【００２５】
コントローラ２ａ、２ｂは、例えば、医用画像の配置方法の設定や、その設定に基づいて医用画像を配置した場合の医用画像のコマ位置を表すイメージ画像の表示出力等を行う。例えば、診断装置から送信されたアスペクト比の異なる画像に対して、入力部を操作することに拡大もしくは縮小をする。このアスペクト比とは、医用画像の縦横比を示す。
【００２６】
変換装置３ａ、３ｂは、診断装置１ａ、１ｂから出力される医用画像データを１データずつ読み込んで、その医用画像データをＤＩＣＯＭ規格に従ってデータ変換して蓄積し、予め設定されているフィルム出力装置４ａ、４ｂへ転送する。
【００２７】
フィルム出力装置４ａ、４ｂは、変換装置３ａ、３ｂから転送されたＤＩＣＯＭ規格に変換されたデータのうち患者情報に対応する患者情報フォーマットデータ及び位置データと、画像フォーマットデータに基づいた画像データをフィルム上（記録媒体）に画像形成して出力する医用画像形成装置であり、制御部、記憶部、画像メモリ、露光部、現像部、通信部、排出部等を備えて構成される。フィルムは、ＰＥＴ（ポリエチレンテレフタレート）等の支持体上に、感光性及び感熱性の感光材料を含有する乳剤が塗付されて、感光層が形成されたものである。
【００２８】
このフィルムは、制御部が搬送部を制御することにより、各構成部へ搬送される。露光部は、フィルム上にレーザ光を照射して露光を行い、変換装置３ａ、３ｂから転送された
データに基づいて画像の潜像を形成する。現像部は、露光後のフィルムを加熱してふぉ光により形成された潜像を現像する。そして、現像されて排出されたフィルムが排出部から排出される。なお、医用画像形成装置をフィルム出力装置に適用する構成としたが、これに限られず、例えば、レーザプリンタやインクジェットプリンタ等の画像形成装置に適用する構成としてもよい。
【００２９】
ユーザは、診断装置１ａ、１ｂで生成された医用画像データをフィルム出力装置により出力するか否かを、コントローラ２ａ、２ｂを操作することにより決定する。コントローラ２ａ、２ｂは、フィルム１ページ毎のイメージ画像を表示部に表示させる。
【００３０】
ユーザは、コントローラＣ１，Ｃ２を操作して、医用画像の配置方法を設定して確定すると、診断装置１ａ又は１ｂで生成された医用画像が変換装置３ａ、３ｂにおいてデータ変換されて、予め設定されたフィルム出力装置４ａ及び４ｂの何れかに通信ネットワークを介して転送される。フィルム出力装置４ａ、４ｂは、変換装置３ａ、３ｂから送信されるテンプレートデータに基づいた画像を拡大又は縮小してフィルム上に画像形成する。
テンプレートデータは、ユーザにより設定された配置方法や医用画像サイズに従って医用画像と患者情報とを予め埋め込んでフォーマットした一つの画像データ、即ちテンプレート画像であり、ＤＩＣＯＭ規格に準拠したデータ形成で生成される。
【００３１】
サーバ５は、変換装置３ａ、３ｂで変換された医用画像データやテンプレートデータを記憶管理するデータベース等により構成される。また、サーバ５は、データベースに記憶した医用画像データ及びテンプレートデータに基づいた画像を表示出力できるビューワなどを備えるとしてもよい。
【００３２】
次に、図２に、コントローラ２ａの主要部構成を示す。図に示すように、コントローラ２ａは、ＣＰＵ（Central Processing Unit）１０、表示部１１、入力部１２、通信インターフェイス部１３、記憶装置１４、ＲＡＭ（Random Access Memory）１５により構成される。なお、コントローラ２ｂも同様の構成であるため、説明及び図示は省略する。
【００３３】
ＣＰＵ１０は、入力される指示に応じて、所定のプログラムに基づいた処理を実行し、各機能部への指示やデータの転送を行う中央演算装置である。具体的にＣＰＵ１０は、入力部１２から入力される操作信号に応じて、記憶装置１４に記憶されたプログラムを読み出し、当該プログラムに従った処理を実行する。そして、その処理結果を表示部１１に表示させる。
【００３４】
表示部１１は、ＣＲＴ（Cathode-ray Tube）やＬＣＤ（Liquid Crystal Display）等により構成され、ＣＰＵ１０ｃから入力される表示データに基づいて各種画面を表示出力する。
【００３５】
入力部１２は、カーソルキー、テンキー及び各種ファンクションキー等を有するキーボードやマウス等のポインティングデバイスを備え、押下されたキーの押下信号や、マウスの位置信号等をＣＰＵ１０に出力する。
【００３６】
通信インターフェイス部１３は、診断装置１ａから出力される医用画像データを受信・復調したり、ＲＡＭ１５に記憶されたフォーマット情報１５ａ及びフィルムサイズ１５ｂを変換装置３ａ、３ｂへ送信したりする機能部であり、例えば、ＲＳ２３２Ｃ等のシリアルインターフェイスや、セントロニクスなどのパラレルインターフェイス、ＵＳＢ等により構成される。
【００３７】
記憶装置１４は、例えば、ＨＤＤ（Hard Disk Device）により構成されるデータの読み書き可能な記憶媒体を備えた機能部であり、各種プログラムやデータを記憶している。
【００３８】
ＲＡＭ１５は、ＣＰＵ１０によって実行される各種プログラムをプログラム格納エリアに展開する。ＲＡＭ１５は、各種プログラムの実行時に生じる処理結果等のデータをワークエリアに一時的に記憶する。図に示すように、ＲＡＭ１５は、フォーマット情報１５ａと、フィルムサイズ１５ｂを格納している。
【００３９】
フォーマット情報１５ａは、医用画像をフィルム上にどのようなコマ配置で配置するかという医用画像の配置方法であり、ユーザにより設定される。ＣＰＵ１０は、表示部１１に所定の入力フォームを表示させ、ユーザの入力部１２の操作に従って、画像フォーマットデータ１５ａを指定及び設定する。この入力フォームは、例えば、“２×２”や“３×３”といった“横コマ数×縦コマ数”の数値形式で医用画像の配置方法を入力させるものであってもよいし、医用画像を表す所定のアイコンの移動によってその配置をグラフィカルに入力させるものであってもよい。
【００４０】
図３は、フォーマット情報１５ａに従って医用画像を配置した際の、フォーマット例を示す図である。例えば、“２×２”という配置方法を表す画像フォーマットデータ１５ａでは、医用画像ＰＣ１〜ＰＣ４が図３（ａ）のように配置される。また、“３×３”という配置方法を表すフォーマット情報１５ａによって、医用画像ＰＣ１〜ＰＣ９が同図（ｂ）のように配置される。また、“一行目に３コマ、２行目に２コマ”医用画像を配置するという配置方法を表す画像フォーマットデータ１５ａでは、医用画像ＰＣ１〜ＰＣ５が同図（ｃ）のように配置される。このように、医用画像の配置方法は、コントローラ２ａによって適宜指定することができる。
【００４１】
フィルムサイズ１５ｂは、医用画像を画像形成させるフィルムのサイズ情報であり、ユーザにより設定される。コントローラ２ａのＣＰＵ１０は、ユーザの指示入力に従って、フォーマット情報１５ａとフィルムサイズ１５ｂとを変換装置１ａへ通信インターフェイス部１３を介して送信する。なお、フォーマット情報１５ａとフィルムサイズ１５ｂは、コントローラ２ａ、２ｂで設定する構成としたが、これに限定されず、例えば、診断装置１ａ、１ｂで設定可能としてもよい。
【００４２】
なお、以下、フォーマット情報は、図３（ａ）のフォーマット情報を使用するとして説明するが、他のフォーマットを使用する場合も同様である。
【００４３】
次に、図４に、変換装置３ａの主要部構成の一例を示す。図に示すように、変換装置３ａは、制御部２０、記憶装置２４、入力インターフェイス部２８、電源部２９等により構成される。
【００４４】
記憶装置２４は、光学的、磁気的にデータの読み書きを行う記憶媒体を備えた機能部であり、例えば、ＨＤＤ等により構成される。
【００４５】
電源部２９は、変換装置３ａ、３ｂの各部に電力を供給する。
【００４６】
制御部２０は、ＣＰＵ２１、ＩＤＥ（Integrated Drive Electronics）２２、シリアルインターフェイス２３、文字認識処理部２５、メモリ２６、通信装置２７により構成される
【００４７】
ＣＰＵ２１は、記憶装置２４に格納されたプログラムを読み出し、当該プログラムに従って、各部の動作を制御する。具体的には、診断装置１ａ、１ｂから出力される医用画像データを入力インターフェイス２８を介して受信すると、ＣＰＵ２１は、受信した医用画像データから医用画像、画像サイズ、アスペクト比を取得する。診断装置１ａ、１ｂの種類によって、アスペクト比が異なるため、これらを考慮して処理を行う必要がある（後述）。また、医用画像データを受信すると、文字認識処理部２５を制御し、当該医用画像データに含まれる文字パターンやマッチングやＯＣＲなどによって文字認識することで、患者情報を取得する。なお、医用画像データ中の文字を認識する技術は、適宜公知技術を採用してもよい。
【００４８】
一方、ＣＰＵ２１は、コントローラ２ａ、２ｂから送信されたフォーマット情報及びフィルムサイズをシリアルインターフェイス２３を介して受信する。そして、文字認識により取得した患者情報と画像処理を施した画像からテンプレートデータを作成し、通信装置２７を介してフィルム出力装置４ａ、４ｂへ送信する。
【００４９】
メモリ２６は、ＣＰＵ２１が実行する各種プログラムや、これらのプログラムの実行に係るデータ等を一時的に格納する記憶領域である。
【００５０】
図５に、アスペクト比の異なる診断装置１ａ、１ｂから送信される医用画像の一例を示す。
【００５１】
図５（ａ）は、アスペクト比が１：１の場合、（ｂ）は、アスペクト比が１：２の場合の医用画像である。診断装置１ａ、１ｂの仕様により、画像の入力素子の１画素あたりの垂直寸法と水平寸法に比が異なる。画素アスペクト比は画素の垂直寸法及び水平寸法の比率である。従って、図に示すように、アスペクト比が１：１の場合に送信される医用画像は、医用画像３１のように正方形、つまり、元の医用画像３０を縮小した医用画像となる。一方、図５（ｂ）に示す、アスペクト比が１：２の場合に送信される医用画像は、医用画像３２のように、垂直方向に引き伸ばされた医用画像３２となる。つまり、実際の画像とは見え方が異なるため、ユーザは確実な診断を行うことができない。従って、アスペクト比の設定が１：１でない診断装置１ａ、１ｂから送信される医用画像に対して、画像処理を行う必要がある。
【００５２】
図６に、アスペクト比が１：２に設定されている診断装置１ａ、１ｂから送信される画像データを拡大又は縮小した場合の医用画像の一例を示す。
【００５３】
アスペクト比が１：１でない画像の場合、アスペクト比が１：１になるように拡大又は縮小して出力する。図に示すように、アスペクト比が１：２の医用画像３３の場合、水平方向に２倍に拡大することにより医用画像３４を生成する（図６（ａ））。また、垂直方向に２分の１に縮小することにより、アスペクト比１：１の医用画像３５を生成してもよい（図６（ｂ））。このように画像処理を施した画像を、予め作成されたテンプレートに埋め込むことにより、新たなテンプレートを作成し、出力装置に出力する。
【００５４】
ここで、アスペクト比による医用画像の拡大／縮小処理について説明する。まず、アスペクト比ａ：ｂ、画像サイズを水平方向Ｘピクセル、垂直方向Ｙピクセルとする。
〔拡大処理の場合〕
アスペクト比がａ＞ｂの場合、水平方向Ｘピクセルを基準とし、垂直方向の画像サイズがａ／ｂ＊Ｘピクセルになるように、垂直方向Ｙピクセルの値を拡大する。
アスペクト比がａ＜ｂの場合、垂直方向Ｙピクセルを基準とし、水平方向の画像サイズがｂ／ａ＊Ｙピクセルになるように、水平方向Ｘピクセルの値を拡大する。
〔縮小処理の場合〕
アスペクト比がａ＞ｂの場合、垂直方向Ｙピクセルを基準とし、水平方向の画像サイズが
ｂ／ａ＊Ｙピクセルになるように、水平方向Ｘピクセルの値を縮小する。
アスペクト比がａ＜ｂの場合、水平方向Ｘピクセルを基準とし、垂直方向の画像サイズが
ａ／ｂ＊Ｘピクセルになるように、垂直方向Ｙピクセルの値を縮小する。
【００５５】
図７に第１実施形態に係る変換装置３ａ、３ｂの記憶装置２４及びメモリ２６のデータ構成の一例を示す。図７（ａ）が、記憶装置２４のデータ構成の一例であり、図７（ｂ）が、メモリ２６のデータ構成の一例である。
【００５６】
図７（ａ）に示すように、記憶装置２４は、医用画像転送プログラム２４１及び医用画像テーブル２４２を記憶している。医用画像転送プログラムは、医用画像転送処理（図９参照）を実現するためのプログラムである。医用画像テーブル２４２は、診断装置１ａ、１ｂから送信された医用画像データを蓄積的に記憶するデータテーブルである。
【００５７】
図７（ｂ）に示すように、メモリ２６は、最大出力サイズ２６０、１ピクセルサイズ２６１、患者情報設定項目２６２、患者情報２６３、フォーマット情報２６４、フィルムサイズ２６５、アスペクト比２６６、１コマ画像領域サイズ２６７、テンプレート２６８、を記憶している。ＣＰＵ２１は、最大出力サイズ２６０、１ピクセルサイズ２６１、患者情報設定項目２６２、患者情報２６３、フォーマット情報２６４、フィルムサイズ２６５、アスペクト比２６６、１コマ画像領域サイズ２６７に基づいてテンプレートを作成する。テンプレートデータ２６８は、アスペクト比２６６に基づいて拡大又は縮小した医用画像データ及び患者情報２６３をフォーマット情報２６４に基づいた配置して合成した一の画像データ、即ち、テンプレート画像である。
【００５８】
次に、図８を参照しつつ図９のフローチャートを参照して、変換装置１ａで実行される処理について説明する。
【００５９】
まず、ＣＰＵ２１は、医用画像転送処理を開始すると、予めフィルム出力装置４ａに設定されたフィルム毎の最大出力サイズ２６０と、１ピクセルサイズ２６１とを当該フィルム出力装置４ａから取得する（ステップＳ１）。
【００６０】
最大出力サイズ２６０は、画像形成領域情報であり、フィルム毎の医用画像及び患者情報を画像形成可能な最大領域の縦辺及び横辺のピクセル数で表される。１ピクセルサイズは、フィルム出力装置４ａが画像形成する際の１ドットの大きさである。
【００６１】
ステップＳ１において、フィルム毎の最大出力サイズ２６０及び１ピクセルサイズ２６１を取得すると、患者情報設定項目２６２の決定をする（ステップＳ２）。患者情報設定項目２６２は、フィルム上に画像形成する患者情報の項目の種類等である。
【００６２】
ステップＳ２において、患者情報設定項目２６２を決定すると、ＣＰＵ２１は、診断装置１ａから送信される医用画像データを入力インターフェイス部２８を介して受信する。
そして、受信した医用画像データから医用画像、画像サイズ、アスペクト比を取得する（ステップＳ３）。
【００６３】
ステップＳ３において、受信した医用画像データから医用画像、画像サイズ、アスペクト比を取得すると、受信した医用画像データを文字認識することにより、患者情報２６３を取得する（ステップＳ４）。この患者情報２６３とは、患者ＩＤ、患者氏名、性別、年齢、病院管理番号などである。図示はしないが、変換装置３ａに患者管理サーバを接続し、詳細な患者情報が文字認識により得られなかった場合は、その患者管理サーバから患者情報ＩＤに相当する患者情報を取得する構成とする。
【００６４】
ステップＳ４において、患者情報２６３を取得すると、シリアルインターフェイス２３を介してコントローラ２ａから送信されるフォーマット情報２６４及びフィルムサイズ２６５を取得する（ステップＳ５）。このフィルム情報及びフィルムサイズは、診断装置１ａにより設定された情報である。
【００６５】
ステップＳ５において、当該医用画像データのフォーマット情報２６４及びフィルムサイズ２６５を取得すると、これらの情報を用いて、画像描画領域及び文字表示領域を算出しテンプレートを作成する（ステップＳ６）。画像描画領域及び文字表示領域の算出方法を以下に示す。なお、最小画像間隔、トリム幅、文字サイズ及び文字行数の実寸値（長さ）は、予めユーザによって初期設定される。
【００６６】
最小画像間隔（ピクセル）＝最小画像間隔÷１ピクセルサイズ
トリム幅（ピクセル）＝トリム幅（実寸）÷１ピクセルサイズ
文字高さ（ピクセル）＝文字サイズ（実寸）÷１ピクセルサイズ
文字表示領域：横（ピクセル）＝出力可能ピクセル数：横
文字表示領域：縦（ピクセル）＝文字高さ（実寸）×出力行数
画像表示領域：横（ピクセル）＝出力可能ピクセル数横−（（トリム幅×２×横コマ数）
＋（最小画像間隔×（横コマ数−１））
画像表示領域：縦（ピクセル）＝出力可能ピクセル数縦−（（トリム幅×２×縦コマ数）  ＋（最小画像間隔×（縦コマ数−１））−文字領域：縦
【００６７】
ステップＳ６において、画像描写領域及び文字表示領域を算出し、テンプレートを作成すると、１コマ画像領域サイズ２６７を算出する（ステップＳ７）。算出方法を以下に示す。
１コマ画像領域サイズ：横（ピクセル）＝画像描写領域：横（ピクセル）÷横コマ数
１コマ画像領域サイズ：縦（ピクセル）＝画像描写領域：縦（ピクセル）÷縦コマ数
【００６８】
ステップＳ７のおいて、１コマ画像領域サイズ２６７を算出すると、アスペクト比２６６により画像の拡大又は縮小を行う（ステップＳ８）。
【００６９】
ステップＳ８において、アスペクト比２６６により画像の拡大又は縮小を行うと、ステップＳ４で取得した患者情報を画像データに変換する（ステップＳ９）。ここで、文字情報である患者情報２６３を画像データに変換することで、フィルム出力装置では、単に画像データである患者情報を画像形成する。
【００７０】
ステップＳ９において、患者情報を画像データに変換すると、ステップＳ６にて作成したテンプレートの１コマ画像領域に、ステップ８にて拡大又は縮小した医用画像と、ステップＳ９にて画像データに変換した患者情報を埋め込み（ステップＳ１０）フォーマットし、ＤＩＣＯＭ規格に準拠した画像データであるテンプレートデータを作成する。ここで、作成するテンプレートデータの大きさは、受信したアスペクト比に対応させるのではなく、アスペクト比１：１のサイズにてフィルム出力装置へ送信する。
【００７１】
ステップＳ１１において、テンプレートデータをフィルム出力装置へ送信すると、処理を終了する。
【００７２】
一方、フィルム出力装置は、変換装置から送信されたテンプレートデータを受信すると（ステップＳ１２）、当該テンプレートデータに基づいた医用画像をフィルム上に画像形成して出力し（ステップＳ１３）、処理を終了する。
【００７３】
以上のように、アスペクト比が１：２や１：３の医用画像のように、アスペクト比が１：１でない医用画像を受信した場合、それらの医用画像に画像処理を施すことによりアスペクト比１：１に変換し、予め設定されたテンプレートに埋め込んで出力させることにより、診断装置によってアスペクト比が異なった場合においても、アスペクト比を１：１に統一した医用画像によるテンプレートデータを生成し出力することができる。従って、診断装置の仕様に関係なく、常にアスペクト比が１：１の医用画像を作成でき、ユーザに最適な医用画像を提供できる。
【００７４】
〔第２実施形態〕
次に、第２実施形態に係る医用画像出力システム５０について説明する。第２実施形態に係る医用画像出力システム５０のシステム構成は図１と同様であるため、図示及び説明は省略する。また、医用画像出力システム５０を構成する、コントローラ２ａ、２ｂ、変換装置３ａ、３ｂの主要部構成は図２及び図４と同様であるため、説明及び図示は省略する。
【００７５】
図１０は、第２実施形態に係る記憶装置２４のデータ構成の一例を示す図である。図に示すように、記憶装置２４は、第２実施形態に係る医用画像転送プログラム２４３と、医用画像テーブル２４２を記憶している。医用画像転送プログラム２４３は、第２実施形態に係る医用画像転送処理を実行するためのプログラムである。
【００７６】
次に、図１１に、第２実施形態に係るメモリ２６のデータ構成の一例を示す。図に示すように、メモリ２６は、最大出力サイズ２６０、１ピクセルサイズ２６１、患者情報設定項目２６２、患者情報２６３、フォーマット情報２６４、フィルムサイズ２６５、アスペクト比２６６、１コマ画像領域サイズ２６７、受信医用画像領域２７０、送信医用画像領域２７１、拡縮比率２７２及び実寸テンプレートデータ２７３を記憶している。
【００７７】
ＣＰＵ２１は、第１実施形態と同様に、メモリ２６に記憶されている種々の情報を用いて、１コマ画像領域サイズ２６７を算出した後に、実寸テンプレートデータ２７３を作成する。第１実施形態では、テンプレートデータ２６８をフォーマット情報２６４及びフィルムサイズ２６５を基に作成する。そして、様々なアスペクト比で送信される画像データをアスペクト比１：１の画像データに変換し、さらに、作成したテンプレートに入るように拡大又は縮小した後、テンプレートに埋め込みことで、出力するテンプレートデータを作成した。第２実施形態では、各アスペクト比により送信される医用画像データの大きさ、アスペクト比に合わせて実寸テンプレートデータを作成する。
【００７８】
次に、図１２、図１３及び図１４を参照して、第２実施形態に係る変換装置にて実行される処理を示した図１５のフローチャートについて説明する。
【００７９】
まず、ＣＰＵ２１は、医用画像転送処理を開始すると、予めフィルム出力装置４ａに設定されたフィルム毎の最大出力サイズ２６０と、１ピクセルサイズ２６１とを当該フィルム出力装置４ａから取得する（ステップＴ１）。
【００８０】
最大出力サイズ２６０は、画像形成領域情報であり、フィルム毎の医用画像及び患者情報を画像形成可能な最大領域の縦辺及び横辺のピクセル数で表される。１ピクセルサイズは、フィルム出力装置４ａが画像形成する際の１ドットの大きさである。
【００８１】
ステップＴ１において、フィルム毎の最大出力サイズ２６０及び１ピクセルサイズ２６１を取得すると、患者情報設定項目２６２の決定をする（ステップＴ２）。患者情報設定項目２６２は、フィルム上に画像形成する患者情報の項目の種類等である。
【００８２】
ステップＴ２において、患者情報設定項目２６２を決定すると、ＣＰＵ２１は、診断装置１ａから送信される医用画像データを入力インターフェイス部２８を介して受信する。
そして、受信した医用画像データから医用画像、画像サイズ、アスペクト比を取得する（ステップＴ３）。
【００８３】
ステップＴ３において、受信した医用画像データから医用画像、画像サイズ、アスペクト比を取得すると、指定されたアスペクト比による医用画像が、アスペクト比１：１の医用画像になるような水平方向と垂直方向のピクセル値を算出する（ステップＴ４）。この算出方法を以下に示す。なお、アスペクト比ａ：ｂ、画像サイズを水平方向Ｘピクセル、垂直方向Ｙピクセルとする。
〔拡大処理の場合〕
アスペクト比がａ＞ｂの場合に、算出するピクセル値は、水平方向Ｘピクセル、垂直方向ａ／ｂ＊Ｘピクセル。
アスペクト比がａ＜ｂの場合に、算出するピクセル値は、水平方向ｂ／ａ＊Ｙピクセル、垂直方向Ｙピクセル。
〔縮小処理の場合〕
アスペクト比がａ＞ｂの場合に、算出するピクセル値は、水平方向ｂ／ａ＊Ｙピクセル、垂直方向Ｙピクセル。
アスペクト比がａ＜ｂの場合に、算出するピクセル値は、水平方向Ｘピクセル、垂直方向ａ／ｂ＊Ｘピクセル。
【００８４】
ステップＴ４において、アスペクト比１：１の医用画像になるような水平方向と垂直方向のピクセル値を算出すると、受信した医用画像データを文字認識することにより、患者情報を取得する（ステップＴ５）。この患者情報とは、患者ＩＤ、患者氏名、性別、年齢、病院管理番号などである。図示はしないが、変換装置３ａに患者管理サーバを接続し、詳細な患者情報が文字認識により得られなかった場合は、その患者管理サーバから患者情報ＩＤに相当する患者情報を取得する構成とする。
【００８５】
ステップＴ５において、患者情報２６３を取得すると、シリアルインターフェイス２３を介してコントローラ２ａから送信されるフォーマット情報２６４及びフィルムサイズ２６５を取得する（ステップＴ６）。このフィルム情報及びフィルムサイズは、診断装置１ａにより設定された情報である。
【００８６】
ステップＴ６において、当該医用画像データのフォーマット情報２６４及びフィルムサイズ２６５を取得すると、これらの情報を用いて、画像描画領域及び文字表示領域を算出し実寸テンプレートを作成する（ステップＴ７）。画像描画領域及び文字表示領域の算出方法は、第１実施形態と同様であるため、説明は省略する。
【００８７】
ステップＴ７において、画像描画領域及び文字表示領域を算出し、実寸テンプレートを作成すると、１コマ画像領域サイズ２６７を算出する（ステップＴ８）。この算出方法も、第１実施形態と同様であるため説明は省略する。
【００８８】
ステップ８において、１コマ画像領域サイズ２６７算出すると、算出した１コマ画像領域サイズ２６７と、アスペクト比から１コマ画像サイズの縮小比を算出する（ステップＴ９）。この算出方法を以下に示す。なお、図１２を参照しつつ説明する。
【００８９】
（１）  まず、１コマ画像領域：横Ｘを基準に、出力画像領域：縦ｙ１を計算する。
ｘ２：ｙ２＝Ｘ：Ｙより、ｙ２＝（ｘ２×Ｙ）÷Ｘ
出力画像領域：横〔ｘ２〕＝受信画像領域：横〔ｘ１〕
出力画像領域：縦〔ｙ２〕＝１コマ画像領域：縦〔Ｙ〕×出力画像領域：横〔ｘ２〕÷１コマ画像領域：横〔Ｘ〕
【００９０】
（２）（１）の横基準にし、出力画像領域：縦〔ｙ２〕が受信画像領域：縦〔ｙ１〕より小さい場合、受信画像領域：縦を基準に再計算をする。
出力画像領域：横〔ｘ２〕＝１コマ画像領域：横〔Ｘ〕×出力画像領域：縦〔ｙ２〕÷１コマ画像領域：縦〔Ｙ〕
出力画像領域：縦〔ｙ２〕＝受信画像領域：縦〔ｙ１〕
【００９１】
（３）出力画像領域（ｘ２，ｙ２）より縮小比を計算する。このとき、縦、横どちらを基準値としたかにより、使用する計算結果が異なる。
（１）の場合の縮小比（横基準）＝受信画像領域：縦〔ｙ１〕÷１コマ画像領域：縦〔Ｙ〕
（２）の場合の縮小比（縦基準）＝受信画像領域：横〔ｘ１〕÷１コマ画像領域：横〔Ｘ〕
【００９２】
ステップＴ９において、上述した算出方法により１コマ画像領域の縮小比を算出すると、実寸テンプレートで算出した値に、ステップＴ９で求めた縮小比より出力するテンプレートを作成する（ステップＴ１０）。その算出方法を、以下に示す。
最小画像間隔〔出力〕＝最小画像間隔〔実寸〕×縮小比
トリム幅〔出力〕＝トリム幅〔実寸〕×縮小比
最小画像間隔〔出力〕、トリム幅〔出力〕が１より小さければ１とする。
文字高さ〔出力〕＝文字高さ〔実寸〕×縮小比
文字領域：縦〔出力〕＝文字高さ〔出力〕×出力行数
文字領域：横〔出力〕＝出力画像領域：横
出力可能文字数：横＝出力画像領域：横÷（（文字高さ〔出力〕÷２．４）×２）
出力画像領域：横
＝（１コマ画像領域〔出力〕×横コマ数）＋（トリム幅×２×横コマ数）＋（最小画像間隔〔出力〕×（横コマ数−１））
出力画像領域：縦
＝（１コマ画像領域〔出力〕×縦コマ数）＋（トリム幅×２×縦コマ数）＋（最小画像間隔〔出力〕×（縦コマ数−１）＋文字領域縦〔出力〕
【００９３】
ステップＴ１０において、上述した算出方法によりテンプレートを作成すると、このテンプレートにトリム及び患者情報を書き出す（ステップＴ１１、図１３（１））。そして、ステップＴ１１において、テンプレートにトリム及び患者情報を書き出すと、受信したアスペクト比が１：１でない１コマ画像（図１３（２）（ａ））に合わせて、図１３（１）のテンプレートを拡大又は縮小する（ステップＴ１２、図１３（２）（ｂ））。
【００９４】
ステップＴ１２において、受信したアスペクト比が１：１でない１コマ画像に合わせてテンプレートを拡大又は縮小すると、拡大又は縮小したテンプレートに１コマ画像を埋め込む（ステップＴ１３、図１３（３））。
【００９５】
ステップＴ１３において、拡大又は縮小したテンプレートに、アスペクト比が１：１ではない１コマ画像を埋め込むと、このテンプレートをフィルム出力装置へ送信し（ステップＴ１４）、処理を終了する。
【００９６】
フィルム出力装置は、変換装置からテンプレートを受信すると（ステップＴ１５）、受信したテンプレートを、フィルムにあわせて拡大又は縮小処理を施す（ステップＴ１６、図１３（４））。
ステップＴ１６において、受信したテンプレートをフィルムにあわせて拡大又は縮小処理をすると、拡大又は縮小したテンプレートをフィルム上に画像形成して出力し（ステップＴ１７）、処理を終了する（図１４、参照）。
【００９７】
以上のように、アスペクト比が１：１でない医用画像を受信した場合、医用画像に画像処理を施すのではなく、予め設定されているフォーマット情報により作成されたアスペクト比が１：１のテンプレートを医用画像のアスペクト比に基づいて変換し、その変換したテンプレートデータに当該医用画像を埋め込む。そして、アスペクト比が１：１でない医用画像を埋め込んで生成したテンプレートデータを、フィルム出力装置に送信した後、フィルム出力装置にてアスペクト比１：１に変換して出力させることにより、医用画像に施す画像処理回数を減らすことができる。従って、画像処理を施すことにより発生する画像データの劣化を最小限に抑えることができるため、明瞭な画像による医用画像データを生成することが可能となる。そのため、画像劣化により発生する可能性がある誤診を回避することも可能である。また、受信した医用画像に画像処理を施す必要がないため、画像処理に要する時間を短縮でき、作業効率を向上させることができる。
【図面の簡単な説明】
【００９８】
【図１】第１実施形態に係る医用画像出力システムのシステム構成の一例を示す図である。
【図２】図１の医用画像出力システムを構成するコントローラの主要部構成を示す図である。
【図３】フォーマット情報に従って医用画像を配置した際のフォーマット例を示す図である。
【図４】図１の医用画像出力システムを構成する変換装置の主要部構成を示す図である。
【図５】アスペクト比の異なる医用画像の一例を示す図である。
【図６】アスペクト比が１：２の医用画像を拡大又は縮小した場合の医用画像の一例を示す図である。
【図７】図４の変換装置を構成する記憶装置及びメモリのデータ構成の一例を示す図である。
【図８】テンプレートデータを説明するための図である。
【図９】図４の変換装置で実行される処理を示すフローチャートである。
【図１０】第２実施形態に係る変換装置を構成する記憶装置のデータ構成の一例を示す図である。
【図１１】第２実施形態に係る変換装置を構成するメモリのデータ構成の一例を示す図である。
【図１２】拡縮比率の算出方法を説明するための図である。
【図１３】テンプレート作成の一例を示す図である。
【図１４】第２実施形態に係る変換装置とフィルム出力装置の動作の概要を説明するための図である。
【図１５】第２実施形態に係る変換装置で実行される処理を示すフローチャートである。
【図１６】（ａ）は医用画像の一例、（ｂ）は医用画像がフォーマットされたフィルムの一例を示す図である。
【符号の説明】
【００９９】
１ａ、１ｂ  診断装置
２ａ、２ｂ  コントローラ
３ａ、３ｂ  変換装置
４ａ、４ｂ  フィルム出力装置
５  サーバ
１０  ＣＰＵ
１１  表示部
１２  入力部
１３  通信インターフェイス部
１４  記憶装置
１５  ＲＡＭ
１５ａ  フォーマット情報
１５ｂ  フィルムサイズ
２０  制御部
２１  ＣＰＵ
２２  ＩＤＥ
２３  シリアルインターフェイス
２４  記憶装置
２４１  医用画像転送プログラム
２４２  医用画像テーブル
２５  文字認識処理部
２６  メモリ
２６０  最大出力サイズ
２６１  １ピクセルサイズ
２６２  患者情報設定項目
２６３  患者情報
２６４  フォーマット情報
２６５  フィルムサイズ
２６６  アスペクト比
２６７  １コマ画像領域サイズ
２６８  テンプレートデータ
２７０  受信医用画像領域
２７１  出力医用画像領域
２７２  縮小比率
２７３  実寸テンプレートデータ
２７  通信装置
２８  入力インターフェイス部
２９  電源部
３０、３１、３２、３３、３４、３５  医用画像
５０  医用画像出力システム
Ｎ  通信ネットワーク
【図１】
2006346162.tif 000003
【図２】
2006346162.tif 000004
【図３】
2006346162.tif 000005
【図４】
2006346162.tif 000006
【図５】
2006346162.tif 000007
【図６】
2006346162.tif 000008
【図７】
2006346162.tif 000009
【図８】
2006346162.tif 000010
【図９】
2006346162.tif 000011
【図１０】
2006346162.tif 000012
【図１１】
2006346162.tif 000013
【図１２】
2006346162.tif 000014
【図１３】
2006346162.tif 000015
【図１４】
2006346162.tif 000016
【図１５】
2006346162.tif 000017
【図１６】
2006346162.tif 000018